(57)【特許請求の範囲】
【請求項１】
ケーシングを備えたプロジェクタの側面に設けられた投光部を遮へい可能に形成された遮へい部材と、この遮へい部材を前記投光部の前方に位置して前記投光部を遮断する遮断位置と前記投光部を開放する開放位置との間で変位させる駆動手段と、前記プロジェクタに取り付け可能な取り付け部とを備えたプロジェクタ遮光装置であって、
前記ケーシングは内部にケーシング内を冷却するための冷却ファンが備えられるとともに前記投光部が配された側面に前記冷却ファン用の通風口が設けられたものにおいて、
前記駆動手段は前記遮へい部材を軸心回りに回動させる回動軸を前記投光部が設けられた側面に沿う向きに設けて、前記投光部の開閉を前記遮へい部材の回動動作により行うとともに、
前記取り付け部に、前記遮へい部材を前記投光部が設けられた側面に沿ってスライドさせることで同側面における前記遮へい部材の配置を手動により位置調整可能なスライド機構を備えることを特徴とするプロジェクタ遮光装置。
【請求項２】
前記遮へい部材における前記投光部と対面する側の側面には投光部より照射された光の前記遮へい部材における反射を抑制するような反射抑制手段が施されていることを特徴とする請求項１に記載のプロジェクタ遮光装置。
【発明の詳細な説明】
【０００１】
【発明の属する技術分野】
本発明は、プロジェクタ遮光装置に関する。
【０００２】
【従来の技術】
学校の授業、あるいは企業のプレゼンテーションなど一人の説明者が多数人に対して説明を行うときには、説明者はプロジェクタによってスクリーン上に投影された画像を差棒などによって差す示しつつ説明を行うことがある。
この場合、説明者はスクリーンの傍らで説明を行う都合上、常に、プロジェクタのレンズから照射される光源に晒された状況下で説明を行う必要がある。しかし、説明中にはスクリーンの画像等を参照せずに説明を行う場合がある。この場合は、スクリーン上に像は写されず光源からの光が直接投影されるが、この時の光（スクリーン上に像が写されない時の光）が特に眩しく説明者から視覚を保護するために光源を遮断してほしいという要請があった。これに対して、従来ではプロジェクタの電源そのものを切るなどの措置が講じられていた。
【０００３】
【発明が解決しようとする課題】
しかし、プロジェクタの電源を一旦切ってしまうと、再び、プロジェクタを使用するために電源を投入してもプロジェクタの使用が可能になるには電源投入後幾らかの時間を要するため、説明の進行の妨げとなってしまうという問題があった。そこで、プロジェクタの光源を覆う部材を外付けするといった措置が検討されたが、この場合には、ケーシングを備えたプロジェクタにおいては、投光レンズと並んで冷却用ファン用の通風口が設定されることがあるが、外付けされた部材が通風口を塞いでしまうと、プロジェクタの冷却機能を損ねる虞があった。
本発明は上記のような事情に基づいて完成されたものであって、プロジェクタに備えられた冷却機能を維持させつつ、プロジェクタの投光部から照射される光源を遮断して説明者の視覚を保護することができるプロジェクタ遮光装置を提供することを目的とする。
【０００４】
【課題を解決するための手段】
上記の目的を達成するための手段として、請求項１の発明は、ケーシングを備えたプロジェクタの側面に設けられた投光部を遮へい可能に形成された遮へい部材と、この遮へい部材を前記投光部の前方に位置して前記投光部を遮断する遮断位置と前記投光部を開放する開放位置との間で変位させる駆動手段と、前記プロジェクタに取り付け可能な取り付け部とを備えたプロジェクタ遮光装置であって、前記ケーシングは内部にケーシング内を冷却するための冷却ファンが備えられるとともに前記投光部が配された側面に前記冷却ファン用の通風口が設けられたものにおいて、前記駆動手段は前記遮へい部材を軸心回りに回動させる回動軸を前記投光部が設けられた側面に沿う向きに設けて、前記投光部の開閉を前記遮へい部材の回動動作により行うとともに、前記取り付け部に、前記遮へい部材を前記投光部が設けられた側面に沿ってスライドさせることで同側面における前記遮へい部材の配置を手動により位置調整可能なスライド機構を備えるところに特徴を有する。
【０００７】
請求項２の発明は、請求項１に記載のものにおいて、前記遮へい部材における前記投光部と対面する側の側面には投光部より照射された光の前記遮へい部材における反射を抑制するような反射抑制手段が施されているところに特徴を有する。
【０００９】
【発明の作用及び効果】
＜請求項１の発明＞
請求項１の発明によれば、遮へい部材は投光部を開閉する構成であるから、投光部からの光を遮断することができ、説明者の視覚を保護することが可能である。また、遮へい部材は通風口を避けた領域内で動作するから遮断位置、開放位置のいずれの位置にある場合であっても通風口が塞がれず開放される構成である。従って、プロジェクタ使用時に正常に換気が行われ、ケーシング内に熱気がこもることがない。
【００１０】
また、請求項１の発明によれば、プロジェクタへの取り付けが完了した後において、スライド機構によって遮へい部材の位置調節を行うことが出来るから異なる機種（投光部の位置が異なるもの）に対しても使用可能である。
また、小型のプロジェクタにおいては、ケーシングの側面に投光部及び通風口が併設されていると、同側面上の残余スペースが狭いため通風口を避けて開放位置を設定することができない。この場合、ケーシング外に開放位置を設定することとなるが遮へい部材の移動形式をスライド式の構成とすると、遮へい部材をスライドさせるための案内をケーシング外にも設ける必要がある。そのため、この種のプロジェクタに対してスライド式のものを適用すると、プロジェクタ遮光装置の大型化を招くし、また、取り付け状態において、案内部分がプロジェクタの外形から飛び出してしまう。請求項１の発明によれば、遮へい部材の移動形式は回動式であり、遮へい部材は回動軸に固定されてその軸回りを回動変位する。従って、仮に、ケーシング外に開放位置が設定されている場合であってもケーシング外に案内を設けることなく遮へい部材の開閉動作を行うことが出来るから、取り付け状態において、プロジェクタ遮光装置がプロジェクタの外形から大きく飛び出すことがなくコンパクトとなる。
【００１１】
＜請求項２の発明＞
プロジェクタ及びプロジェクタ遮光装置の製造誤差、並びに遮へい部材の動作上の誤差を考慮すると、遮断位置において遮へい部材が投光部に干渉するのを避けるために、遮へい位置において投光部と遮へい部材との間に干渉回避用の隙間を設定しておく必要がある。しかし、この隙間を広くとると、投光部から照射され遮へい部材の表面で反射された光が隙間から漏れてしまう虞があった。請求項２の発明によれば、反射抑制手段によって、遮へい部材における反射を抑制することが出来るから隙間から強い反射光が漏れ出さなくなる。
【００１３】
【発明の実施の形態】
＜第１実施形態＞
本発明の第１実施形態を図１ないし図５を参照して説明する。
図１は第１実施形態に適用されたプロジェクタ遮光装置（以下、単に遮光装置という）１０を示すものであって、１は遮光装置１０が装着される液晶プロジェクタである。液晶プロジェクタ１は略箱型をなすケーシング２を有しその下面の四隅には支持脚５が設けられており、テーブルに置いて使用したり、或いは天井から吊り下げて使用出来る（本実施形態では天井から吊り下げて使用する）。ケーシング２の前面壁３の左側部には筒状をなすレンズカバー４Ａと投光レンズ４Ｂとにより構成された投光部４が設けられており、投光レンズ４Ｂを介して画像がスクリーン上に拡大投影されるようになっている。この液晶プロジェクタ１は内部に、ケーシング２内を冷却するための冷却ファン（図示せず）が設けられるとともに、前面壁３には投光部４と並んで冷却ファン用の通風口６が設けられている。これにより、空気を循環させケーシング２内に熱気が籠もらないようにしてある。
【００１４】
次に遮光装置１０について説明する。
液晶プロジェクタ１に対する取り付け部１１は金属製の板材を曲げ加工して形成したアッパブラケット１３、ロアブラケット１５及びアッパ・ロアの両ブラケット１３、１５をジョイントする中間ブラケット１４からなる連結ブラケット１２を備えてなる。アッパブラケット１３の基板部１３Ａ及びロアブラケット１５の基板部１５Ａが、夫々、天井及び液晶プロジェクタ１の上面に対する取付け面となっている。一方、天井側及び液晶プロジェクタ１の上面側にもそれぞれ取り付け具（図示せず）が設けられており、天井側に対しアッパブラケット１３が、液晶プロジェクタ１の上面に対してロアブラケット１５がそれぞれ接続されるようになっている。
【００１５】
ロアブラケット１５の前側には直角に曲げ起こされた前壁１５Ｂが設けられている。この前壁１５Ｂは液晶プロジェクタ１の幅方向に沿って形成されており、そこにはスライド機構１７を介して、後述する遮光装置本体２０が取り付けられる。スライド機構１７は液晶プロジェクタ１の幅方向に沿って伸びる一対の固定レール１７Ａ及び可動レール１７Ｂとから構成されている。このうち、固定レール１７Ａの左右両側が前壁１５Ｂに対してねじ止めされる一方、可動レール１７Ｂの側面には、Ｌ字状をなすフロントブラケット１８を介して遮光装置本体２０が取り付けられる。このスライド機構１７は手動式であって、可動レール１７Ｂ、ひいては遮光装置本体２０を固定レール１７Ａに沿ってスライドさせるようになっている。このようにスライド機構１７を設けるのは、液晶プロジェクタ１の機種によっては前面壁３における投光部４の配置が異なっており、その機種の投光部４に合わせて後述する閉止位置を設定する必要があるためである。
【００１６】
遮光装置本体２０は遮へい板（本発明の遮へい部材に相当する）２１と、遮へい板２１が取り付けられる支持ケース２５を有するとともに、支持ケース２５の内部には遮へい板２１を回動変位させる駆動手段３０及び前記駆動手段３０を制御する制御手段４０がそれぞれ収容されている。
【００１７】
遮へい板２１はアクリル製であって不透明な色板（例えば、黒色）よりなり、投光部４の前面を被覆可能な大きさに形成されている。また、図２に示すように、遮へい板２１の後面側（投光部４に対する対向面側）には、フェルト製の繊維からなる黒色のシート（本発明の反射抑制手段に相当する）２２が貼りつけられている。このシート２２は遮へい板２１が投光部４の前方に位置（後述する遮断位置）した際に、投光部４から照射された光が遮へい板２１の表面で強く反射するのを抑制するためのものである。すなわち、投光部４より照射された光は遮へい板２１で直接反射せず、一旦、シート２２に対して進入してゆく。このシート２２は繊維が不規則に重なったものであるため照射光はシート２２の内部において不規則に反射、屈折する。従って、照射光がシート２２内に散乱するから遮へい板２１の表面で照射光が強く反射することがない。
【００１８】
支持ケース２５はアッパケース２６とロアケース２７とから分割構成されている。このうちアッパケース２６は支持ケース２５の上面壁を形成する基板２６Ａの左右側縁、及び前縁に下向きの側壁２６Ｂ、２６Ｃを設けてなる。一方、ロアケース２７は支持ケース２５の下面壁を形成する基板２７Ａの後縁に側壁２７Ｂを設けてなる。これらアッパ・ロアの両ケース２６、２７が組まれると閉じたボックスを形成するようになっている。
【００１９】
次に、遮へい板２１を投光部４の前方に位置する遮断位置（図３に示す実線の位置）と、投光部４を開放する開放位置（図３に示す破線の位置）との間で変位させる駆動手段３０について説明する。図２に示すように、アッパケース２６には側壁２６Ｃを左右に貫通して回動軸３１が回動自在に取り付けられるとともに、左右両側壁２６Ｃの外面側には一対の回動アーム３２、３３が回動軸３１に対して回り止めされた状態で取り付けられている。この回動アーム３２は外形がへの字状に形成されるとともに、その前縁側には内向きに取り付け片３２Ａ、３３Ａが屈曲形成されている。このうち右側の取り付け片３２Ａが遮へい板２１の右側部に、左側の取り付け片３３Ａが遮へい板２１の左側部にそれぞれねじ止めされるようになっている。取り付け状態において、回動軸３１は液晶プロジェクタ１の前方上部において液晶プロジェクタ１の前面壁３に沿う向きに配される。そのため、両回動アーム３２、３３が垂れた姿勢にあるときには遮へい板２１が投光部４の前方にあって投光部４を遮断するようになっている（遮断位置）。
【００２０】
また、回動軸３１の左端部寄りの位置に減速ギヤ３５が取り付けられている。一方、アッパケース２６の基板２６Ａの下面側にはＬ字状をなす支持ブラケット３７を介して正逆双方向に回動可能とされた駆動モータ３８が取り付けられている。この駆動モータ３８の回転軸の先端部分には減速ギヤ３５に噛合するピニオンギヤ３９が取り付けられている。このピニオンギヤ３９は減速ギヤ３５より小径に形成されている。これにより駆動モータ３８の駆動に伴って、その回転がピニオンギヤ３９及び減速ギヤ３５を介して減速されて回動軸３１に伝達される。これにより駆動手段３０は遮へい板２１を前述した遮断位置と、この遮断位置から図示上方にほぼ９０度回動して液晶プロジェクタ１の前方上部に退避し投光部４の前方を開放する開放位置との間で回動変位させる。
【００２１】
次に、遮へい板２１の位置検出及びそれに伴う駆動モータ３８の制御を行う制御手段４０について説明する。位置検出を行う手段としては誘導型、磁気型或いは光電形の近接スイッチによって構成すればよく、本実施形態では、その一例として光電形の近接スイッチ（以下、単に近接スイッチとする）により構成している。具体的には、アッパケース２６の基板２６Ａには制御用のボード４１がねじ止めされるとともに、その下面側には近接スイッチ４２、４３が一対並んで取り付けられている。これら各近接スイッチ４２、４３はＬＥＤ（投光側）４２Ａ、４３Ａと、フォトトランジスタ（受光側）４２Ｂ、４３Ｂを各一対備えおり、次述する検知体４５、４６が各近接スイッチ４２、４３のＬＥＤ４２Ａ、４３Ａとフォトトランジスタ４２Ｂ、４３Ｂ間に進入すると、それを、電気的に検出するようになっている。検知体４５、４６は回動軸３１に対して一対設けられるとともに、図２に示すように、検知体４５が縦向きに、検知体４６が横向きに取り付けられており、両検知体４５、４６はほぼ９０度ずれた位置関係となっている。
【００２２】
従って、図４に示すように、遮へい板２１が遮断位置にあるときには、検知体４５が近接スイッチ４２のＬＥＤ４２Ａとフォトトランジスタ４２Ｂとの間に位置するとともに、検知体４６は近接スイッチ４３のＬＥＤ４３Ａとフォトトランジスタ４３Ｂとの間から退避している。一方、図５に示すように、遮へい板２１が開放位置にあるときには、今度は、検知体４５が近接スイッチ４２のＬＥＤ４２Ａとフォトトランジスタ４２Ｂとの間より退避するとともに、検知体４６は近接スイッチ４３のＬＥＤ４３Ａとフォトトランジスタ４３Ｂとの間に位置する。
【００２３】
このように検知体４５、４６が近接スイッチ４２、４３のＬＥＤ４２Ａ、４３Ａ、フォトトランジスタ４２Ｂ、４３Ｂ間に交互に進入することで、近接スイッチ４３によって遮へい板２１の開放位置を、近接スイッチ４２によって遮へい板２１の遮断位置をそれぞれ位置検出するようにしてある。また、ボード４１の下面の前縁にはリモコン操作用の受光センサ４８が取り付けられるとともにボード４１の後部側にはモータ制御部（図示せず）を構成する回路基板が取り付けられている。このモータ制御部は駆動回路を介して駆動モータ３８に接続されておりリモコン、近接スッチ４２、４３からの制御信号に基づいて駆動モータ３８を駆動・停止させる。
【００２４】
次に、上記のように構成された本実施形態の作用効果について説明する。
遮光装置１０の取り付け手順としては、液晶プロジェクタ１に対して遮光装置１０を上方から宛って、遮へい板２１が液晶プロジェクタ１の前面壁３側に位置するようにセットするとともに、液晶プロジェクタ１の上面側に対して連結ブラケット１２の取り付けを行う。その後、スライド機構１７によって、遮へい板２１が液晶プロジェクタ１の投光部４の前面に位置するように位置合わせを行う。これにて、液晶プロジェクタ１に対する遮光装置１０の取り付けが完了する。
【００２５】
次に、液晶プロジェクタ１の使用中、開放位置にある遮へい板２１を遮断位置へ移行させる動作について説明する。開放位置（図３の一点鎖線参照）では、遮へい板２１は液晶プロジェクタ１の前方上部に退避している。そのため、投光部４の前方が開放されスクリーン上に画像等を投影することが出来る。尚、この状態において、図５に示すように、検知体４６は近接スイッチ４３のＬＥＤ４３Ａとフォトトランジスタ４３Ｂとの間に位置し、検知体４５は近接スイッチ４２より退避した位置関係にある。
【００２６】
この状態から、遮光装置１０の駆動源である駆動モータ３８のスイッチをリモコンにより投入し駆動モータ３８を駆動させると、ピニオンギヤ３９及び減速ギヤ３５の噛み合いにより回動軸３１が緩速回転する。そのため、遮へい板２１が図３に示すＰ方向、すなわち開放位置から遮断位置に向けて回動変位する。
この回動動作と共に両検知体４５、４６もそれぞれ回動してゆく。すなわち、検知体４５は近接スイッチ４２に対し徐々に近接してゆき、検知体４６は近接スイッチ４３から徐々に離間してゆく。やがて、遮へい板２１が投光部４を覆う遮断位置まで回動変位すると、図５に示すように、検知体４６が近接スイッチ４３から完全に離間するとともに、検知体４５が近接スイッチ４２のＬＥＤ４２Ａとフォトトランジスタ４２Ｂとの間に位置する。これにより、近接スイッチ４２が作動してモータ制御部に対して制御信号が送られる。すると、モータ制御部が駆動回路を介して駆動モータ３８への電力の供給を停止させる。これにより、駆動モータ３８、ひいては遮へい板２１が停止する。
【００２７】
逆に、遮断位置から開放位置に復帰する際には、再びリモコンによって、駆動モータ３８を作動（逆方向に回動）させれば、遮へい板２１が回動軸３１を中心として図５のＳ方向に回動変位する。そして、遮へい板２１が開放位置に達すると、近接スイッチ４３が作動してモータ制御部に対して制御信号が送られる。すると、モータ制御部が駆動回路を介して駆動モータ３８への電力の供給を停止させる。これにより、駆動モータ３８、ひいては遮へい板２１が停止する。
【００２８】
このように、説明者がスクリーン上の画像を参照せず説明を行う場合には、遮光装置１０によって投光部４を遮断してやれば、説明者が光源に晒されて説明を行うといった状況が回避され、説明者の視覚を効果的に保護出来る。また、投光部４の開閉を液晶プロジェクタ１の電源を接続したままの状態で行うことが出来るから、説明の途中で投光部４を一旦遮ってもすぐに投光部４を開放することが出来、その後の説明の進行を妨げることがない。
更に、これら遮光装置１０はユニット化されているため、液晶プロジェクタ１に対しては、このユニット化された遮光装置１０を装着するだけで取付けが完了するようになっており、取付け作業性に優れる。
【００２９】
また、駆動手段３０としては液晶プロジェクタ１の前面壁３に沿った回動軸３１を設けており、通風口６を避けた領域において遮へい板２１を回動変位させる。すなわち遮へい板２１が遮断位置、開放位置のいずれの位置にある場合であっても通風口６が塞がれず開放されるから、換気が正常に行われケーシング内に熱気がこもることがない。
【００３０】
更に、遮へい板２１を回動式の構成とすることで、以下の利点がある。駆動形式には回動式の他にスライド式が考えられるが、スライド式の場合には液晶プロジェクタ１の前面壁３に沿って遮へい板２１を移動させる構成となる。しかし、サイズの小さな液晶プロジェクタ１に関しては液晶プロジェクタ１の前面壁３に投光部４と通風口６が併設されると、通風口６を避けて遮へい板２１の開放位置を設定するだけのスペースが前面壁３上に確保出来ない。この場合には、ケーシング２の外側に開放位置を設定する必要があり、更には、遮へい板２１を開放位置まで案内するための案内をケーシング外にも設ける必要がある。そのため、この種の液晶プロジェクタ１に対してスライド式のものを適用すると、取り付け状態において、案内部分が液晶プロジェクタ１の外形から飛び出してしまう。
【００３１】
一方、回動式であれば、遮へい板２１は回動軸３１に回り止めされた状態で支持されその軸回りを回動変位する。従って、ケーシング２外に開放位置が設定されている場合であってもケーシング２外に案内を設けることなく遮へい板２１の開閉動作を行うことが出来るから、取り付け状態において、遮光装置１０が液晶プロジェクタ１の外形から大きく飛び出すことがなくコンパクトとなる。
【００３２】
また、液晶プロジェクタ１及び遮光装置１０の製造・取り付け誤差、並びに遮へい板２１の動作上の誤差を考慮すると、遮断位置において遮へい板２１が投光部４に干渉するのを避けるために、遮へい位置において投光部４と遮へい板２１との間に干渉回避用の隙間（図３のＲ寸法部分）を設定しておく必要がある。しかし、この隙間を広くとると、投光部４から照射され遮へい板２１の表面で反射された光がこの隙間から漏れてしまう虞があった。しかし、本実施形態によれば、遮へい板２１の裏面側（投光部４と対面する側）を黒いフェルト製のシート２２によって被覆している。従って、シート２２は投光部４からの照射光を吸収することが出来る。また、吸収出来なかった光はシート２２内に進入するが、シート２２は不規則な繊維からなるため、進入した照射光はシート２２の内部で不規則に屈折、反射する。従って、照射光がシート２２内に散乱するから遮へい板２１の表面で照射光が強く反射することがなく、仮に、照射光の一部が隙間から漏れても気にならない。
【００３３】
＜第２実施形態＞
本発明の第２実施形態を図６を参照して説明する。
第１実施形態においては、液晶プロジェクタ１を天井から吊り下げて使用する場合の適用例であったが、第２実施形態では液晶プロジェクタ１をテーブル８０に直置きする場合の適用例である。
図６に示すように、液晶プロジェクタ１を直置きする場合には、前側の支持脚５を伸張させて液晶プロジェクタ１を傾斜させることで、投光部４からの画像がスクリーン上に投影されるように位置調節を行う。
【００３４】
一方、遮光装置１としては、第１実施形態の取り付け部１１を使用せず遮光装置本体２０のみを使用する。すなわち、第１実施形態の遮光装置本体２０を遮へい板２１を上を向けた状態で液晶プロジェクタ１の前方に配置するとともに、遮光装置本体２０を液晶プロジェクタ１の幅方向にずらして遮へい板２１が投光部４の前方に丁度位置するように位置合わせする。
このように、配置してやれば投光部４の下方に回動軸３１が位置することとなるから、遮へい板２１は投光部４の前方を覆う遮断位置（図６の実線）と液晶プロジェクタ１の前方下部に退避して投光部４を開放する開放位置（図６の一点鎖線）との間で回動変位する。このように取り付け部１１を取り外して使用すれば、直置きタイプの液晶プロジェクタ１に対しても適用可能である。
その他の構成については、第１実施形態と同様であるため、同一部品には同一符号を付し、重複した説明を省略する。
【００３５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３６】
（１）第１・２実施形態では、液晶プロジェクタ１を使用したが、特に液晶である必要なく、遮光装置１０の装着が可能であれば如何なるプロジェクタにも使用出来る。
【００３７】
（２）第１・第２実施形態では、遮へい板２１の変位動作を回動形式としたが、スライド形式としてもよい。
【図面の簡単な説明】
【図１】第１実施形態における液晶プロジェクタ及びプロジェクタ遮光装置の斜視図
【図２】プロジェクタ遮光装置の分解斜視図
【図３】遮へい板の開閉動作を表す断面図
【図４】遮へい板が遮断位置にある状態を表す正面図
【図５】遮へい板が開放位置にある状態を表す正面図
【図６】第２実施形態における遮へい板の開閉動作を表す断面図
【符号の説明】
１…液晶プロジェクタ
２…ケーシング
４…投光部
６…通風口
１０…プロジェクタ遮光装置
２１…遮へい板(遮へい部材）
３０…駆動手段
４０…制御手段
【図１】
0003682292.tif 000002
【図２】
0003682292.tif 000003
【図３】
0003682292.tif 000004
【図４】
0003682292.tif 000005
【図５】
0003682292.tif 000006
【図６】
0003682292.tif 000007